(57)【特許請求の範囲】
【請求項１】
試料に描画すべき描画パターンが定義された描画データであって、同一のチップ領域が複数配置されるレイアウトを有する描画データが入力され、前記描画データを記憶する描画データ記憶部と、
前記描画データ記憶部から前記描画データを読み出し、前記レイアウトにおけるショット密度または描画パターン面積密度を算出する描画データ前処理部であって、複数の前記同一のチップ領域のうち、１個のチップ領域を種チップ領域としてショット密度または描画パターン面積密度を算出し、複数の前記同一のチップ領域のうち前記種チップ領域と異なる第１のチップ領域を含む複数のチップ領域の集合である仮想チップ領域を第１のマス目に分割し、前記第１のマス目に対する前記第１のチップ領域の原点のオフセットに基づき、算出された前記種チップ領域のショット密度または描画パターン面積密度を用いて、前記仮想チップ領域のショット密度または描画パターン面積密度を算出する描画データ前処理部と、
前記試料上に順次荷電粒子ビームを照射して前記描画パターンの描画を行う描画部と、を有することを特徴とする荷電粒子ビーム描画装置。
【請求項２】
試料に描画すべき描画パターンが定義された描画データであって、同一のチップ領域が複数配置されるレイアウトを有する描画データが入力され、前記描画データを記憶する描画データ記憶部と、
前記描画データ記憶部から前記描画データを読み出し、前記レイアウトにおけるショット密度または描画パターン面積密度を算出する描画データ前処理部であって、複数の前記同一のチップ領域を含む複数のチップ領域の集合である仮想チップ領域を第１のマス目に分割し、複数の前記同一のチップ領域を前記第１のマス目に対するチップ領域の原点のオフセットを基準に第１のグループおよび第２のグループを含む複数のグループにグルーピングし、前記第１のグループに属するチップ領域のうち、１個のチップ領域を第１の種チップ領域としてショット密度または描画パターン面積密度を算出し、算出された前記第１の種チップ領域のショット密度または描画パターン面積密度を前記第１のグループに属する他のチップ領域のショット密度または描画パターン面積密度として用い、前記第２のグループに属するチップ領域のうち、１個のチップ領域を第２の種チップ領域としてショット密度または描画パターン面積密度を算出し、算出された前記第２の種チップ領域のショット密度または描画パターン面積密度を前記第２のグループに属する他のチップ領域のショット密度または描画パターン面積密度として用いて、前記仮想チップ領域のショット密度または描画パターン面積密度を算出する描画データ前処理部と、
前記試料上に順次荷電粒子ビームを照射して前記描画パターンの描画を行う描画部と、を有することを特徴とする荷電粒子ビーム描画装置。
【請求項３】
複数の前記同一のチップ領域をグルーピングする際に、前記第１のマス目内における各前記同一のチップ領域の前記原点のオフセットの分布を取得し、前記分布を一つの前記第1のマス目内に配置したときに、前記第１のマス目を分割する第２のマス目で区切られる第１の区画に原点が位置する前記同一のチップ領域を前記第１のグループとし、第２の区画内に原点が位置する前記同一のチップ領域を前記第２のグループとすることを特徴とする請求項２記載の荷電粒子ビーム描画装置。
【請求項４】
前記第１のグループに属するチップ領域の原点の前記第１のマス目に対する第１の平均オフセットを算出し、算出された前記第１の平均オフセットを前記第１のグループに属するチップ領域の原点の第１の共通オフセットとし、
前記第２のグループに属するチップ領域の原点の前記第１のマス目に対する第２の平均オフセットを算出し、算出された前記第２の平均オフセットを前記第２のグループに属するチップ領域の原点の第２の共通オフセットとすることを特徴とする請求項３記載の荷電粒子ビーム描画装置。
【請求項５】
試料に描画すべき描画パターンが定義された描画データであって、同一のチップ領域が複数配置されるレイアウトを有する描画データを記憶部に入力し、前記描画データを記憶する描画データ記憶工程と、
前記描画データ記憶部から前記描画データを読み出し、前記レイアウトにおけるショット密度または描画パターン面積密度を算出する描画データ前処理工程であって、複数の前記同一のチップ領域のうち、１個のチップ領域を種チップ領域としてショット密度または描画パターン面積密度を算出し、複数の前記同一のチップ領域のうち前記種チップ領域と異なる第１のチップ領域を含む複数のチップ領域の集合である仮想チップ領域を第１のマス目に分割し、前記第１のマス目に対する前記第１のチップ領域の原点のオフセットに基づき、算出された前記種チップ領域のショット密度または描画パターン面積密度を用いて、前記仮想チップ領域のショット密度または描画パターン面積密度を算出する描画データ前処理工程と、
前記試料上に順次荷電粒子ビームを照射して前記描画パターンの描画を行う描画工程と、
を有することを特徴とする荷電粒子ビーム描画方法。
【請求項６】
試料に描画すべき描画パターンが定義された描画データであって、同一のチップ領域が複数配置されるレイアウトを有する描画データを記憶部に入力し、前記描画データを記憶する描画データ記憶工程と、
前記描画データ記憶部から前記描画データを読み出し、前記レイアウトにおけるショット密度または描画パターン面積密度を算出する描画データ前処理工程であって、複数の前記同一のチップ領域を含む複数のチップ領域の集合である仮想チップ領域を第１のマス目に分割し、複数の前記同一のチップ領域を前記第１のマス目に対するチップ領域の原点のオフセットを基準に第１のグループおよび第２のグループを含む複数のグループにグルーピングし、前記第１のグループに属するチップ領域のうち、１個のチップ領域を第１の種チップ領域としてショット密度または描画パターン面積密度を算出し、算出された前記第１の種チップ領域のショット密度または描画パターン面積密度を前記第１のグループに属する他のチップ領域のショット密度または描画パターン面積密度として用い、前記第２のグループに属するチップ領域のうち、１個のチップ領域を第２の種チップ領域としてショット密度または描画パターン面積密度を算出し、算出された前記第２の種チップ領域のショット密度または描画パターン面積密度を前記第２のグループに属する他のチップ領域のショット密度または描画パターン面積密度として用いて、前記仮想チップ領域のショット密度または描画パターン面積密度を算出する描画データ前処理工程と、
前記試料上に順次荷電粒子ビームを照射して前記描画パターンの描画を行う描画工程と、
を有することを特徴とする荷電粒子ビーム描画方法。
【発明の詳細な説明】
【技術分野】
【０００１】
本発明は、図形を試料に描画する荷電粒子ビーム描画装置および荷電粒子ビーム描画方法に関する。
【背景技術】
【０００２】
半導体デバイスに所望の回路パターンを形成するために、リソグラフィー技術が用いられる。リソグラフィー技術では、マスク（レチクル）と称される原画パターンを使ったパターンの転写が行われる。そして、高精度なレチクルを製造するために、優れた解像度を有する電子ビーム（電子線）描画技術が用いられる。
【０００３】
マスクに電子ビーム描画を行う電子ビーム描画装置の一方式として、可変成形方式がある。可変成形方式では、例えば第１成形アパーチャの開口と、第２成形アパーチャの開口とを通過することで成形された電子ビームによって、可動ステージに載置された試料上に図形が描画される。電子ビームの１回の照射により電子が照射される領域はショットと称される。
【０００４】
電子ビーム描画装置には、試料に描画すべき図形（描画パターン）が配置されたレイアウトを備える描画データが入力される。上述の可変成形方式では、この描画データが、描画を行うための描画制御フォーマットのデータであるショットデータに変換される。
【０００５】
電子ビーム描画装置では、ショットデータを作成する前の描画データ前処理として、レイアウトのショット密度や描画パターン面積密度の計算が実行される（特許文献１）。算出されるショット密度は、例えば、描画時間の予測や、ショットデータ生成時の並列処理の際のデータ分割の指標として利用される。また、算出される描画パターン面積密度は、例えば、描画時のかぶり効果補正や、帯電補正に利用される。
【先行技術文献】
【特許文献】
【０００６】
【特許文献１】特開２０１０−２６７９０７号公報
【発明の概要】
【発明が解決しようとする課題】
【０００７】
試料に描画すべき図形（描画パターン）が微細化するにつれ、更なる描画精度の向上が急務となる。また、生産効率向上のために、データ処理を含む描画処理の短時間化も必要となる。上述のショット密度や描画パターン面積密度の見積もりにも、高精度化が要求されるが、精度を上げようとすると演算処理量が増大し、処理時間が増大する。そこで、短い処理時間でショット密度や描画パターン面積密度を算出すること望まれる。
【０００８】
本発明は、上記事情を考慮してなされたもので、その目的とするところは、短い処理時間でショット密度または描画パターン面積密度を算出する荷電粒子ビーム描画装置および荷電粒子ビーム描画方法を提供することにある。
【課題を解決するための手段】
【０００９】
本発明の一態様の荷電粒子ビーム描画装置は、試料に描画すべき描画パターンが定義された描画データであって、同一のチップ領域が複数配置されるレイアウトを有する描画データが入力され、前記描画データを記憶する描画データ記憶部と、前記描画データ記憶部から前記描画データを読み出し、前記レイアウトにおけるショット密度または描画パターン面積密度を算出する描画データ前処理部であって、複数の前記同一のチップ領域のうち、１個のチップ領域を種チップ領域としてショット密度または描画パターン面積密度を算出し、複数の前記同一のチップ領域のうち前記種チップ領域と異なる第１のチップ領域を含む複数のチップ領域の集合である仮想チップ領域を第１のマス目に分割し、前記第１のマス目に対する前記第１のチップ領域の原点のオフセットに基づき、算出された前記種チップ領域のショット密度または描画パターン面積密度を用いて、前記仮想チップ領域のショット密度または描画パターン面積密度を算出する描画データ前処理部と、前記試料上に順次荷電粒子ビームを照射して前記描画パターンの描画を行う描画部と、を有することを特徴とする。
【００１０】
上記態様の荷電粒子ビーム描画装置において、前記描画データ前処理部において、複数のチップ領域の集合体である仮想チップ領域についてのショット密度または描画パターン面積密度を算出する際、前記仮想チップ領域を第１のマス目に分割し、前記同一のチップ領域を前記第１のマス目に対するチップ領域の原点のオフセットを基準にグルーピングし、同一グループに属するチップ領域のうち、１個のチップ領域についてショット密度または描画パターン面積密度を算出し、他のチップ領域については算出した前記１個のチップ領域のショット密度または描画パターン面積密度を再利用することが望ましい。
【００１１】
上記態様の荷電粒子ビーム描画装置において、前記同一のチップ領域をグルーピングする際に、前記第１のマス目をさらに細かい第２のマス目に分割し、対応する第２のマス目にチップ領域の原点が位置するチップ領域を同一グループとすることが望ましい。
【００１２】
上記態様の荷電粒子ビーム描画装置において、前記同一グループに属するチップ領域の原点の前記第２のマス目に対する平均オフセットを算出し、算出された前記平均オフセットを前記同一グループに属するチップ領域の原点の共通オフセットとし、前記共通オフセットを基準に前記仮想チップ領域に前記チップ領域を配置し、ショット密度または描画パターン面積密度を算出することが望ましい。
【００１３】
本発明の一態様の荷電粒子ビーム描画方法は、試料に描画すべき描画パターンが定義された描画データであって、同一のチップ領域が複数配置されるレイアウトを有する描画データを記憶部に入力し、前記描画データを記憶する描画データ記憶工程と、前記描画データ記憶部から前記描画データを読み出し、前記レイアウトにおけるショット密度または描画パターン面積密度を算出する描画データ前処理工程であって、複数の前記同一のチップ領域のうち、１個のチップ領域を種チップ領域としてショット密度または描画パターン面積密度を算出し、複数の前記同一のチップ領域のうち前記種チップ領域と異なる第１のチップ領域を含む複数のチップ領域の集合である仮想チップ領域を第１のマス目に分割し、前記第１のマス目に対する前記第１のチップ領域の原点のオフセットに基づき、算出された前記種チップ領域のショット密度または描画パターン面積密度を用いて、前記仮想チップ領域のショット密度または描画パターン面積密度を算出する描画データ前処理工程と、前記試料上に順次荷電粒子ビームを照射して前記描画パターンの描画を行う描画工程と、を有することを特徴とする。
【発明の効果】
【００１４】
本発明によれば、短い処理時間でショット密度または描画パターン面積密度を算出する荷電粒子ビーム描画装置および荷電粒子ビーム描画方法を提供することが可能となる。
【図面の簡単な説明】
【００１５】
【図１】第１の実施の形態の電子ビーム描画装置の概略構成図である。
【図２】第１の実施の形態の描画データ前処理部の詳細を示す図である。
【図３】第１の実施の形態のショットデータ生成部の詳細を示す図である。
【図４】第１の実施の形態で採用されるベクタ走査方式及びステージ連続移動方式の描画方法の説明図である。
【図５】第１の実施の形態で用いられるマスクのレイアウトの一例を示す概念図である。
【図６】第１の実施の形態の電子ビーム描画方法の工程図である。
【図７】第１の実施の形態の仮想チップ領域密度計算工程での処理の説明図である。
【図８】第２の実施の形態の電子ビーム描画方法の工程図である。
【図９】第２の実施の形態の電子ビーム描画方法における密度計算方法の説明図である。
【図１０】第３の実施の形態の電子ビーム描画方法の工程図である。
【図１１】第３の実施の形態の密度計算方法の説明図である。
【図１２】第３の実施の形態の密度計算方法の説明図である。
【図１３】第３の実施の形態の密度計算方法の説明図である。
【図１４】第３の実施の形態の密度計算方法の説明図である。
【図１５】第３の実施の形態の密度計算方法の説明図である。
【図１６】第３の実施の形態の密度計算方法の説明図である。
【発明を実施するための形態】
【００１６】
以下、本発明の実施の形態について図面を参照しつつ説明する。以下、実施の形態では、荷電粒子ビームの一例として、電子ビームを用いた構成について説明する。ただし、荷電粒子ビームは、電子ビームに限るものではなく、イオンビーム等の荷電粒子を用いたビームでもかまわない。
【００１７】
本明細書中、レイアウトとは、試料、例えばマスクの全描画領域における図形等のパターン配置を表す概念とする。
【００１８】
本明細書中、描画データとは、試料に描画するパターンの基データである。描画データはＣＡＤ等で設計者により生成された設計データを、描画装置内での演算処理が可能となるようフォーマットを変換したデータである。図形等の描画パターンが、例えば、図形の頂点等の座標で定義されている。
【００１９】
描画データは、例えば、チップデータとレイアウトデータとで構成される。チップデータは、描画パターンの集合であって描画の基本単位となるチップ領域のデータである。また、レイアウトデータは、チップデータのレイアウト上への配置情報等を備える。描画対象がマスクの場合、例えば、マスクのどの位置にチップ領域が配置されるかという情報を与える。
【００２０】
また、本明細書中、仮想チップ領域とはチップ領域の集合を意味する。仮想チップ領域は、通常、１連の描画処理で処理される領域である。
【００２１】
また、本明細書中、ショットとは、荷電粒子ビームの１回の照射により荷電粒子が照射される領域を意味する。
【００２２】
また、本明細書中、ショットデータとは、ショットの情報を備え、荷電粒子ビームによる描画を行う上での最終的なデータ形式を有するデータを意味する。
【００２３】
また、本明細書中、メッシュオフセットとは、仮想チップ領域のマス目（メッシュ）とチップ領域の原点とのオフセット（ズレ量）、または、仮想チップ領域のマス目とチップ領域のマス目とのオフセット（ズレ量）を意味する。
【００２４】
（第１の実施の形態）
本実施の形態の電子ビーム描画装置は、試料に描画すべき描画パターンが定義された描画データであって、同一のチップ領域が複数配置されるレイアウトを有する描画データが入力され、描画データを記憶する第１の描画データ記憶部と、第１の描画データ記憶部から描画データを読み出し、レイアウトにおけるショット密度または描画パターン面積密度を算出する描画データ前処理部であって、複数配置される同一のチップ領域のうち、１個のチップ領域についてショット密度または描画パターン面積密度を算出し、他のチップ領域については算出した１個のチップ領域のショット密度または描画パターン面積密度を再利用する描画データ前処理部と、描画データ前処理部で処理された描画データが入力され、描画データを記憶する第２の描画データ記憶部と、第２の描画データ記憶部から描画データを読み出し、荷電粒子ビームのショットを単位として構成されるショットデータに変換するショットデータ生成部と、ショットデータを用いて試料上に順次荷電粒子ビームを照射することで描画を行う描画部とを、備えている。
【００２５】
本実施の形態の電子ビーム描画装置は、描画データ前処理におけるショット密度や描画パターン面積密度を求める際に、すべてのチップ領域について演算するのではなく、共通するチップ領域の演算結果を再利用する。したがって、描画データ前処理に要する処理時間を短縮することができる。また、生成するショット密度や描画パターン面積密度のマップの数を減らすことができるため、データを記憶する記憶装置の容量も小さく押さえることができる。
【００２６】
図１は、本実施の形態の電子ビーム描画装置の概略構成図である。この電子ビーム描画装置１００は、荷電粒子ビーム描画装置の一例である。電子ビーム描画装置１００は、描画部１０２と、この描画部１０２の描画動作を制御する制御部１０４から構成されている。電子ビーム描画装置１００は、試料１１０に所定のパターンを描画する。
【００２７】
描画部１０２の試料室１０８内に試料１１０を載置するステージ１１２が収容されている。ステージ１１２は、制御部１０４によって、Ｘ方向（紙面左右方向）、Ｙ方向（紙面表裏方向）およびＺ方向（紙面上下方向）に駆動される。試料１１０として、例えば、半導体装置が形成されるウェハにパターンを転写するための露光用マスクがある。また、このマスクには、例えば、まだ何もパターンが形成されていないマスクブランクスも含まれる。
【００２８】
マスクブランクスは、例えば石英ガラス上に遮光膜となるクロムが塗布されている。電子ビーム描画装置のステージ１１２上に載置される際に、例えばレジストが塗布される。
【００２９】
試料室１０８の上方には、電子ビーム光学系１１４が設置されている。電子ビーム光学系１１４は、電子銃１１６、各種レンズ１１８、１２０、１２２、１２４、１２６、ブランキング用偏向器１２８、ビーム寸法可変用偏向器１３０、ビーム走査用の副偏向器１３２、ビーム走査用の主偏向器１３４、及び可変成形ビームで描画するための、ビーム成形用の第１のアパーチャ１３６、第２のアパーチャ１３８などから構成されている。
【００３０】
制御部１０４は、第１の描画データ記憶部１０６、描画データ前処理部１６０、第２の描画データ記憶部１０７、ショットデータ生成部１４０、制御回路１５０を備える。
【００３１】
第１の描画データ記憶部１０６は、試料に描画すべき描画パターンが定義された描画データが入力され、この描画データを記憶する機能を備える。描画データは全描画領域内に複数の図形が定義される。描画データは例えば半導体集積回路の回路パターンである。第１の描画データ記憶部１０６は、記憶媒体であれば良く、例えば、磁気ディスク等を用いることができる。本実施の形態においては、同一のチップ領域が複数配置されるレイアウトを有する描画データが入力される。
【００３２】
図２は、本実施の形態の描画データ前処理部１６０の詳細を示す図である。描画データ前処理部１６０は、フォーマット検査部１６１、ショット密度計算部１６２、パターン面積密度（描画パターン面積密度）計算部１６３を備える。
【００３３】
描画データ前処理部１６０は、後にショットデータ生成部１４０でショットデータを生成するための前処理を描画データに対して行う機能を備える。フォーマット検査部１６１は、第１の描画データ記憶部１０６に入力された描画データのフォーマットに不具合がないか等を検査する機能を備える。
【００３４】
ショット密度計算部１６２は、描画データ中のチップ領域、または、チップ領域の集合である仮想チップ領域について、その領域内のショット密度を算出する機能を備える。算出結果は、マップデータ（以下、単にマップとも称する）として、例えば、第２の描画データ記憶部１０７に保存される。
【００３５】
ショット密度は、描画パターンをショットに分割した後の所定単位面積あたりのショット数で表される。ショット密度のマップデータは、チップ領域または仮想チップ領域をマス目（メッシュ）で区画し、各区画にショット密度情報を持たせたデータである。ショット密度のマップデータは、例えば、描画時間の予測や、ショットデータ生成部１４０での並列処理の際のデータ分割の指標として用いられる。
【００３６】
パターン面積密度計算部（第１のパターン面積密度計算部）１６３は、描画データ中のチップ領域、または、チップ領域の集合である仮想チップ領域について、その領域内の描画パターン密度（図形密度）を算出する機能を備える。算出結果は、マップデータとして、例えば、第２の描画データ記憶部１０７に保存される。
【００３７】
描画パターン面積密度は、所定単位面積あたりの描画パターン面積である。描画パターン面積密度のマップデータは、チップ領域または仮想チップ領域をマス目（メッシュ）で区画し、各区画に描画パターン面積密度情報を持たせたデータである。描画パターン面積密度のマップデータは、例えば、かぶり効果補正や帯電補正等を実行するために用いられる。かぶり効果補正や帯電補正では、後述する近接効果補正よりも、よりマクロな領域の描画パターン面積密度情報を必要とする。したがって、ショット生成部１４０で描画データを分割処理する以前に描画パターン面積密度を算出することが望ましい。
【００３８】
描画データ前処理部１６０では、複数配置される同一のチップ領域のうち、少なくとも１個のチップ領域（以下、種チップ領域とも称する）についてショット密度または描画パターン面積密度を算出する機能を備える。そして、他のチップ領域のショット密度または描画パターン面積密度については、算出した前記１個のチップ領域（種チップ領域）のショット密度または描画パターン面積密度を再利用するよう構成されている。
【００３９】
第２の描画データ記憶部１０７は、描画データ前処理部１６０で処理された描画データが入力され、この描画データを記憶する機能を備える。また、上述のように、チップ領域または仮想チップ領域のショット密度や描画パターン面積密度のマップデータが保存される。第２の描画データ記憶部１０７は、記憶媒体であれば良く、例えば、磁気ディスク等を用いることができる。
【００４０】
図３は、本実施の形態のショットデータ生成部１４０の詳細を示す図である。図形分配部１４１は、描画データに定義された図形の集合（セルともいう）を、複数の計算機により並列処理する際の単位領域となる分散処理領域毎に分配（ローカライズ）する機能を備える。分散処理領域は、例えば、１回の１方向のステージ移動で描画される範囲である描画データストライプ領域を、移動方向に対して垂直に更に細分化した領域である。
【００４１】
図形分配部では、例えば、ショット密度計算部１６２で求められたショット密度のマップデータを参照することにより、各分散処理領域のデータ量がほぼ均等になるよう図形の集合（セル）を複数の計算機に分配する。
【００４２】
図形変換部１４２では、分散処理領域毎に定義されたサブフィールドに各セル内の図形を分配する機能を備える。サブフィールドは、描画データの仮想チップ領域を、例えば、仮想チップ領域の左下隅を基点として、メッシュ状に分割した領域である。そのサイズは、例えば、副偏向器１３２の偏向幅を基準に設定される。
【００４３】
また、近接効果補正用パターン面積密度計算部（第２のパターン面積密度計算部）１４４は、近接効果補正を行うための描画パターン面積密度を算出する機能を備える。上述のように、近接効果補正を行うためには、かぶり効果補正や帯電補正よりも、よりミクロな領域で精度の高い描画パターン面積密度情報を必要とする。このため、近接効果補正用パターン面積密度計算部（第２のパターン面積密度計算部）１４４では、パターン面積密度計算部（第１のパターン面積密度計算部）１６３と比較して、領域をより細かいマス目（メッシュ）に分割して、描画パターン面積密度を算出することが望ましい。
【００４４】
近接効果補正部１４５では、近接効果補正用パターン面積密度計算部（第２のパターン面積密度計算部）１４４で算出された結果に基づき、近接効果補正量、具体的には、ショットのドーズ量を算出し、ショット変換部１４３にフィードバックする機能を備える。
【００４５】
ショット変換部１４３では、各サブフィールドに分配された図形を、荷電粒子ビームのショットを単位として構成されるショットデータに変換する機能を備える。
【００４６】
制御回路１５０は、ショットデータ生成部１４０で生成されたショットデータに基づき描画部１０２を制御する機能を備える。
【００４７】
描画部１０２は、ショットデータを用いて試料１１０上に順次電子ビームを照射することで描画を行う機能を備える。
【００４８】
描画データ前処理部１６０、ショットデータ生成部１４０、制御回路１５０の各機能の処理は、例えば、ＣＰＵ等の演算処理デバイスや電気回路等のハードウェアを用いて実施される。或いは、ソフトウェアとハードウェアの組み合わせを用いて実施させても構わない。
【００４９】
図１〜図３では、実施の形態を説明する上で、必要な構成部分以外については記載を省略している。電子ビーム描画装置１００にとって、通常、必要なその他の構成が含まれても構わないことは言うまでもない。
【００５０】
次に、電子ビーム描画装置１００を用いた、電子ビーム描画方法について図１、図４を用いて説明する。図４は、本実施の形態で採用されるベクタ走査方式（２次元走査方式）及びステージ連続移動方式の描画方法の説明図である。
【００５１】
制御部１０４での処理を説明する前に、便宜上、描画部１０２の動作について図１および図４を用いて説明する。描画部１０２では、制御部１０４で生成されたショットデータを用いて、試料１１０に描画する。
【００５２】
実際の描画にあたっては、電子銃１１６から発せられる電子ビームをビーム寸法可変用偏向器１３０及びビーム成形用の第１のアパーチャ１３６、第２のアパーチャ１３８により、ビーム形状を可変に制御し、ベクタ走査方式およびステージ連続移動方式により描画処理する。
【００５３】
まず、試料１１０上の描画すべきパターン２０２は短冊状の描画データストライプ２０４と呼ばれる領域に分割され、描画データストライプ２０４を更にサブフィールド２０６と呼ばれる領域に分割し、その内部を必要な部分のみ、図１の第１のアパーチャ１３６、第２のアパーチャ１３８により成形された可変成形ビーム２０８を偏向してサブフィールド２０６に配置された図形２０７を描画する。
【００５４】
本実施の形態においては、パターン２０２が仮想チップ領域に対応し、１回の可変成形ビーム２０８の照射で照射される領域がショットに対応する。
【００５５】
ステージ１１２（図１）を連続移動させながら描画処理が行われる。この時、副偏向器１３２および主偏向器１３４（図１）の２段の偏向器が用いられ、サブフィールド２０６の位置決めは制御部１０４より送られる主偏向位置データに従って主偏向器１３４（図１）で行い、サブフィールド２０６の描画は同じく制御部１０４より送られる副偏向位置データ、ショットサイズデータ等に従って副偏向器１３２で行われる。
【００５６】
１つのサブフィールド２０６の描画が終了すると、次のサブフィールド２０６の描画に移る。さらに複数のサブフィールド２０６の集合である描画データストライプ２０４の描画が終了したら、Ｘ方向に連続移動していたステージ１１２（図１）を、Ｙ方向にステップ移動させる。上記処理を繰り返して各描画データストライプ領域を順次描画するようになっている。ここで、描画データストライプ２０４は、例えば、主偏向器１３４（図１）の偏向幅で決まる短冊状の描画領域であり、サブフィールド２０６は、例えば、副偏向器１３２（図１）の偏向幅で決まる単位描画領域である。
【００５７】
次に、制御部１０４での演算処理について説明する。
【００５８】
図５は、本実施の形態で用いられるマスクのレイアウトの一例を示す概念図である。また、図６は、本実施の形態の電子ビーム描画方法の工程図である。
【００５９】
まず、第１の描画データ記憶工程（Ｓ１１０）において、第１の描画データ記憶部１０６に、描画するパターンの基データである描画データが入力され、この描画データが記憶される。
【００６０】
この描画データは、図５に示すようなレイアウトに対応する描画データである。すなわち、同一のチップ領域が複数配置されるレイアウトを備える描画データである。レイアウト５００には、レイアウト５００の中心を原点Ｏとして、３つの仮想チップ領域ＰＣＡ、ＰＣＢ、ＰＣＣが配置される。
【００６１】
図５の例では、仮想チップ領域ＰＣＡ内にはチップ領域Ｆが３個、チップ領域Ｇが３個配置されている。また、仮想チップ領域ＰＣＢ内にはチップ領域Ｇが２個配置されている。このように、同一の仮想チップ領域内に同一のチップ領域が複数配置されている。また、例えば、チップ領域Ｆやチップ領域Ｇは、異なる仮想チップ領域ＰＣＡ、ＰＣＢ、ＰＣＣのすべてに共通して配置されている。このように、同一のチップ領域または異なる仮想チップ領域に共通して配置されるチップ領域を種チップ領域と称するものとする。
【００６２】
例えば、描画データ上では、チップ領域Ｆ、Ｇ、Ｈはチップデータとして記述され、レイアウトデータに、それぞれのチップ領域Ｆ、Ｇ、Ｈをレイアウト５００のどこに配置するかの情報が記述される。例えば、チップ領域Ｆが仮想チップ領域ＰＣＡに３個、ＰＣＢに１個、ＰＣＣに１個という配置情報が描画データ中のレイアウトデータに記述される。
【００６３】
次に、描画前処理部１６０で描画前処理工程（Ｓ１２０）が実行される。描画前処理工程（Ｓ１２０）では、仮想チップ領域のショット密度と描画パターン面積密度を算出し、それぞれのマップデータを作成する。以下、ショット密度と描画パターン面積密度の両方を算出する場合を例に説明するが、いずれか一方のみを算出する構成であってもかまわない。
【００６４】
まず、種チップ領域密度計算工程（Ｓ１２１）において、種チップ領域のショット密度および描画パターン面積密度を計算する。ショット密度および描画パターン面積密度の計算においては、種チップ領域をマス目（メッシュ）に分割し、それぞれのマス目の区画内に入るショット数およびパターン面積を計算する。マス目は、例えば、種チップ領域の原点を基準にもうけられる。また、例えば、ショット密度は、電子ビーム描画装置１００で用いられる最大ショットサイズを基礎として計算される。
【００６５】
そして、この計算結果に基づき種チップ領域のショット密度および描画パターン面積密度のマップ（以下、種チップマップとも称する）が生成される。なお、レイアウト５００中に１個しか配置されないチップ領域も、この種チップ領域密度計算工程（Ｓ１２１）においてショット密度および描画パターン面積密度を計算するものとする。種チップマップは、種チップ領域の原点を基準にマス目が区切られていることになる。
【００６６】
次に、仮想チップ領域密度計算工程（Ｓ１２２）で、仮想チップ領域のショット密度および描画パターン面積密度を計算し、仮想チップ領域のマップ（以下、仮想チップマップと称する）を作成する。このとき、レイアウト５００中に複数配置される同一のチップ領域については、種チップ領域密度計算工程（Ｓ１２１）において作成された種チップマップを再利用する。
【００６７】
図７は、本実施の形態の仮想チップ領域密度計算工程（Ｓ１２２）での処理の説明図である。図７（ａ）に示すように、種チップ領域密度計算工程（Ｓ１２１）で作成された種チップマップを仮想チップ領域における配置位置に貼り付ける。種チップ領域のマス目で区切られた区画のそれぞれが、ショット密度情報または描画パターン面積密度情報を値として備えている。
【００６８】
図７（ｂ）に示すように、仮想チップマップは、仮想チップ領域の原点、例えば図７（ｂ）の左下角、を基準に仮想チップ領域のマス目で区切られる。このため、仮想チップ領域に貼り付けられた種チップマップの密度情報を、仮想チップマップの密度情報に読み替える処理が必要となる。
【００６９】
以下、この処理手順についての具体例を示す。なお、本実施の形態では、種チップマップと仮想チップマップがともに同じサイズのマス目（メッシュ）で区切られるものとする。
【００７０】
図７（ｂ）で左側にある種チップマップの場合、種チップ領域の原点（図中の白丸）が、仮想チップマップのマス目の交点に一致する。すなわち、仮想チップ領域のマス目に対する種チップ領域の原点のオフセットがない。この場合は、種チップマップのマス目と仮想チップマップのマス目が一致する。したがって、種チップマップの各区画の密度情報を、対応する仮想チップマップの各区画の密度情報として読み替える。
【００７１】
もっとも、図７（ｂ）で右側にある種チップマップの場合、種チップ領域の原点（図中の白丸）が、仮想チップマップのマス目の交点に一致しない。すなわち、仮想チップ領域のマス目に対する種チップ領域の原点のオフセットが生ずる。この場合は、種チップマップのマス目と仮想チップマップのマス目が一致しない。この際、いかに種チップマップの密度情報を、仮想チップマップの密度情報に読み替えるかの手順を説明する。
【００７２】
第１の手順では、種チップマップのマス目の左下原点が存在する仮想チップマップの区画に、種チップマップの値をすべて加算する。この手順は処理が簡便であるという利点がある。
【００７３】
別の、第２の手順では、種チップマップの区画と、仮想チップマップの各区画とが重なる面積の割合で、種チップマップの１個の区画の値を仮想チップマップの各区画に比例配分して加算する。この手順は第１の手順よりも、仮想チップマップの精度が向上するという利点がある。
【００７４】
別の第３の手順では、種チップマップの区画内のショット数および描画パターン面積の重心位置を計算しておく。そして、この重心位置が存在する仮想チップマップの区画に、種チップマップの値をすべて加算する。この手順も第１の手順よりも、仮想チップマップの精度が向上するという利点がある。
【００７５】
以上のように、レイアウト５００中に配置されるチップ領域について、同一のチップ領域については一つの種チップマップデータを再利用する。これにより、すべてのチップ領域についてマップデータを作成するのではなく、必要最低限のチップ領域についてマップデータを作成すればよいこととなる。したがって、描画前処理部１６０での処理時間の短縮、作成するマップデータ量の削減が実現される。
【００７６】
次に、第２の描画データ記憶工程Ｓ１３０において、描画前処理工程（Ｓ１２０）で処理された描画データや生成された密度マップデータは、第２の描画データ記憶部１０７入力され、記憶される。
【００７７】
次に、ショットデータ生成工程（Ｓ１４０）では、ショットデータ生成部１４０において、第２の描画データ記憶部に記憶された描画データを読み出し、描画パターンが荷電粒子ビームのショットを単位として構成されるショットデータに変換する。この際、例えば、複数の計算機によって並列処理を実行する。そして、図形分配部１４１ａ、ｂで複数の計算機に描画データを分割して配分する際のデータ量の見積もりに、描画前処理部１６０で生成されたショット密度の仮想チップマップを利用する。
【００７８】
また、例えば、かぶり効果補正や帯電補正に、描画前処理部１６０で生成された描画パターン面積密度の仮想チップマップを利用する。また、ショットデータ生成工程（Ｓ１４０）では、近接効果補正用パターン面積密度計算部１４４、近接効果補正部１４５により近接効果補正も行う。
【００７９】
そして、描画工程（Ｓ１５０）において、描画部１０２は、ショットデータを用いて試料１１０上に順次電子ビームを照射することで描画を行う。
【００８０】
本実施の形態の電子ビーム描画装置または電子ビーム描画方法によれば、描画データ前処理におけるショット密度や描画パターン面積密度を求める際に、共通するチップ領域の演算結果を再利用する。したがって、描画データ前処理に要する処理時間を短縮することができる。また、生成するショット密度や描画パターン面積密度のマップの数を減らすことができるためデータを記憶する記憶装置の容量も小さく押さえることができる。
【００８１】
（第２の実施の形態）
本実施の形態の電子ビーム描画装置は、描画データ前処理部の構成以外は、第１の実施の形態と同様である。また、本実施の形態の電子ビーム描画方法は、描画データ前処理部での処理以外は、第１の実施の形態と同様である。したがって、第１の実施の形態と重複する内容については一部記述を省略する。
【００８２】
本実施の形態の電子ビーム描画装置は、描画データ前処理部１６０（図１）が、複数のチップ領域の集合体である仮想チップ領域についてのショット密度または描画パターン面積密度を算出する際、仮想チップ領域を第１のマス目に分割し、同一のチップ領域を第１のマス目に対するチップ領域原点のオフセットを基準にグルーピングする機能を備える。そして、同一グループに属するチップ領域のうち、１個のチップ領域についてショット密度または描画パターン面積密度を算出し、他のチップ領域については算出した１個のチップ領域のショット密度または描画パターン面積密度を再利用する機能を備える。
【００８３】
図８は、本実施の形態の電子ビーム描画方法の工程図である。また、図９は、本実施の形態の電子ビーム描画方法における密度計算方法の説明図である。
【００８４】
まず、第１の描画データ記憶工程（Ｓ２１０）において、第１の描画データ記憶部１０６に、描画するパターンの基データである描画データが入力され、この描画データが記憶される。
【００８５】
次に、描画前処理部１６０で描画前処理工程（Ｓ２２０）が実行される。描画前処理工程（Ｓ２２０）では、仮想チップ領域のショット密度と描画パターン面積密度を算出し、それぞれのマップデータを作成する。
【００８６】
まず、チップ領域グルーピング工程（Ｓ２２１）において、仮想チップ領域をマス目（メッシュ）に分割する。図９（ａ）は、この仮想チップ領域にチップ領域を仮に配置したイメージである。チップ領域のうち、同一のチップ領域を、マス目に対するチップ領域の原点のオフセット（メッシュオフセット）を基準にグルーピングする。
【００８７】
このグルーピングは、メッシュオフセットの等しいチップ領域が、同一のグループとなるよう実行される。図９（ａ）では、図中左側に示すメッシュオフセットなしのチップ領域と、右側に示すメッシュオフセット（Ｏｘ、Ｏｙ）のチップ領域は、メッシュオフセットが異なるため別のグループに属することになる。
【００８８】
その後、種チップ領域密度計算工程（Ｓ２２２）において、各グループについて、１個の種チップ領域のショット密度および描画パターン面積密度を計算する。この際、それぞれの種チップ領域は、図９（ｂ）、図９（ｃ）に示すように仮想チップ領域のマス目、すなわち、仮想チップ領域の原点を基準とするマス目で区切られ、ショット密度および描画パターン面積密度の種チップマップが生成される。
【００８９】
次に、仮想チップ領域密度計算工程（Ｓ２２３）で、仮想チップ領域のショット密度および描画パターン面積密度を計算し、仮想チップマップを作成する。この際、種チップ領域密度計算工程（Ｓ２２２）で作成された種チップマップを仮想チップ領域における配置位置に貼り付ける。
【００９０】
上述のように、それぞれの種チップマップは、仮想チップ領域の原点を基準とするマス目で区切られているため、種チップマップのマス目と仮想チップマップのマス目が一致する。したがって、種チップマップの各区画の密度情報を、対応する仮想チップマップの各区画の密度情報として読み替える。
【００９１】
その後、第２の描画データ記憶工程Ｓ２３０において、描画前処理工程（Ｓ２２０）で処理された描画データや生成されたマップデータは、第２の描画データ記憶部１０７入力され、記憶される。
【００９２】
次に、ショットデータ生成工程（Ｓ２４０）では、ショットデータ生成部１４０において、第２の描画データ記憶部に記憶された描画データを読み出し、描画パターンを荷電粒子ビームのショットを単位として構成されるショットデータに変換する。
【００９３】
そして、描画工程（Ｓ２５０）において、描画部１０２は、ショットデータを用いて試料１１０上に順次電子ビームを照射することで描画を行う。
【００９４】
本実施の形態によれば、種チップマップのマス目が、仮想チップマップのマス目と一致するため、仮想チップマップに貼り付けた種チップマップの値を振り分ける際の誤差が生じない。したがって、生成される仮想チップマップの精度が向上するという利点がある。
【００９５】
（第３の実施の形態）
本実施の形態の電子ビーム描画装置は、描画データ前処理部の構成以外は、第１の実施の形態と同様である。また、本実施の形態の電子ビーム描画方法は、描画データ前処理部での処理以外は、第１の実施の形態と同様である。したがって、第１の実施の形態と重複する内容については一部記述を省略する。
【００９６】
本実施の形態の電子ビーム描画装置は、描画データ前処理部１６０（図１）が、複数のチップ領域の集合体である仮想チップ領域についてのショット密度または描画パターン面積密度を算出する際、仮想チップ領域を第１のマス目に分割し、複数の同一のチップ領域を第１のマス目に対するチップ領域原点のオフセットを基準にグルーピングする機能を備える。そして、同一グループに属するチップ領域間で、１個のチップ領域について算出したショット密度または描画パターン面積密度を再利用する機能を備える。
【００９７】
さらに、描画データ前処理部１６０（図１）が、同一のチップ領域をグルーピングする際に、第１のマス目をさらに細かい第２のマス目に分割し、対応する第２のマス目にチップ領域の原点が位置するチップ領域を同一グループとする機能を備える。
【００９８】
図１０は、本実施の形態の電子ビーム描画方法の工程図である。また、図１１〜図１６は、本実施の形態の電子ビーム描画方法における密度計算方法の説明図である。
【００９９】
まず、第１の描画データ記憶工程（Ｓ３１０）において、第１の描画データ記憶部１０６に、描画するパターンの基データである描画データが入力され、この描画データが記憶される。
【０１００】
次に、描画前処理部１６０で描画前処理工程（Ｓ３２０）が実行される。描画前処理工程（Ｓ３２０）では、仮想チップ領域のショット密度と描画パターン面積密度を算出し、それぞれのマップデータを作成する。
【０１０１】
まず、チップ領域グルーピング工程（Ｓ３２１）において、仮想チップ領域を第１のマス目（メッシュ）に分割する。そして、図１１（ａ）に示すように、この仮想チップ領域にチップ領域（図では１７個の同一のチップ領域）を仮に配置する。図１１（ｂ）は、仮想チップ領域におけるチップ原点（図中白丸）の分布を示す。
【０１０２】
次に、チップ領域のうちの同一のチップ領域を、マス目に対するチップ領域の原点のオフセット（メッシュオフセット）を基準にグルーピングする。図１２は、１７個のチップ原点のメッシュオフセットの分布を示すために、１７個のチップ領域の原点を一つの第１のマス目内に集約してプロットした図である。
【０１０３】
図１３は、図１２の第１のマス目をさらに細かい第２のマス目に分割した図である。ここでは、４分割する場合を例に説明する。グルーピングは、図１３で、第２のマス目で区切られる区画のうち同じ区画内に、チップ領域の原点が位置するチップ領域を同一グループに属するものとする。図１３の場合は、１７個のチップ領域が４個のグループに分かれる。
【０１０４】
次に、チップ領域原点位置決定工程（Ｓ３２２）にて、グルーピングされたチップ領域の原点位置を決定する。この際、いかにチップ領域の原点位置を決定するかについての手順をいくつか例示して説明する。
【０１０５】
図１４は、第１の手順の説明図である。第１の手順では、同一グループに属するチップ領域の原点の第２のマス目に対する平均オフセット（以下、単に平均オフセット）を算出する。すなわち、４分割された区画内のそれぞれで、メッシュオフセットの平均（図１４下図の黒丸）を計算する。そして、算出された平均オフセットを、同一グループに属するチップ領域の原点の共通オフセット（以下、単に共通オフセット）とする。すなわち、平均オフセットの位置が、グループ内のすべてのチップ領域の原点位置となる。
【０１０６】
図１５は、第２の手順の説明図である。第２の手順では、第２のマス目で４分割された区画内の左下点（図１５下図の黒丸）を、該当する区画内にチップ領域原点が存在するチップ領域の共通オフセットとする。すなわち、第２のマス目の左下点の位置が、チップ領域の原点位置となる。
【０１０７】
図１６は、第３の手順の説明図である。第３の手順では、第２のマス目で４分割された区画内の中心点（図１６下図の黒丸）を、該当する区画内にチップ領域原点が存在するチップ領域の共通オフセットとする。すなわち、第２のマス目の中心点の位置が、チップ領域の原点位置となる。
【０１０８】
以上、異なる第１〜第３の手順を説明した。第１の手順では、同一グループのチップ領域のオフセットを平均化して、共通オフセットとすることで、オフセットの誤差を小さくすることができる。第２の手順は第１の手順に比較して簡便であると同時にチップ領域の原点位置と、第２のマス目の交点位置が一致するためデータ処理が容易になるという利点がある。そして、第３の手順は、第２の手順と同様簡便でありながら、第２のマス目の中心点を共通オフセットとすることで、オフセットの誤差を第２の手順よりも小さくすることができる。
【０１０９】
その後、種チップ領域密度計算工程（Ｓ３２２）において、各グループについて、１個の種チップ領域のショット密度および描画パターン面積密度を計算する。図１３の場合は、１７個のチップ領域が４個のグループに分かれる。したがって、４個の種チップ領域について計算して、種チップマップを生成する。
【０１１０】
第１の手順の場合、種チップ領域は第１のマス目に対するチップ領域原点の平均オフセットを基準にして、仮想チップ領域の原点を基準とする第１のマス目で区切られる。そして、ショット密度および描画パターン面積密度の種チップマップが生成される。
【０１１１】
第２の手順の場合、種チップ領域は第１のマス目の左下点を基準として、仮想チップ領域の原点を基準とする第１のマス目で区切られる。そして、ショット密度および描画パターン面積密度の種チップマップが生成される。
【０１１２】
第３の手順の場合、種チップ領域は、第１のマス目の中心点を基準として、仮想チップ領域の原点を基準とする第１のマス目で区切られる。そして、ショット密度および描画パターン面積密度の種チップマップが生成される。
【０１１３】
次に、仮想チップ領域密度計算工程（Ｓ３２３）で、仮想チップ領域のショット密度および描画パターン面積密度を計算し、仮想チップマップを作成する。この際、種チップ領域密度計算工程（Ｓ３２２）で作成された種チップマップを仮想チップ領域における配置位置に貼り付ける。
【０１１４】
上述のように、それぞれの種チップマップは、仮想チップ領域の原点を基準とするマス目で区切られているため、第２の実施の形態同様、種チップマップのマス目と仮想チップマップのマス目が一致する。したがって、種チップマップの各区画の密度情報を、対応する仮想チップマップの各区画の密度情報として読み替える。
【０１１５】
その後、第２の描画データ記憶工程Ｓ３３０において、描画前処理工程（Ｓ３２０）で処理された描画データや生成されたマップデータは、第２の描画データ記憶部１０７入力され、記憶される。
【０１１６】
次に、ショットデータ生成工程（Ｓ３４０）では、ショットデータ生成部１４０において、第２の描画データ記憶部に記憶された描画データを読み出し、描画パターンを荷電粒子ビームのショットを単位として構成されるショットデータに変換する。
【０１１７】
そして、描画工程（Ｓ３５０）において、描画部１０２は、ショットデータを用いて試料１１０上に順次電子ビームを照射することで描画を行う。
【０１１８】
なお、ここでは第２のマス目による第１のマス目の分割数を４分割としたが、必ずしも分割数は４分割に限られるものではない。第１のマス目の分割数は、メッシュオフセットの値が、許容される誤差の範囲内に収まるように設定されればよい。第２のマス目内で最もメッシュオフセット値が離れているもの、すなわち、第２のマス目の対角線の長さがメッシュオフセットの最大誤差となる。したがって、たとえば第２のマス目の対角線の長さが誤差の許容範囲に収まるように第１のマス目の分割数を定めれば良い。なお、許容される誤差は、描画前処理部で作成されるマップデータを使用する側のアプリケーションにより異なる。
【０１１９】
本実施の形態によれば、仮想チップ領域のマス目からのオフセットの近いチップ領域を一つのグループとすることで、種チップ領域の数を削減することが可能となる。よって、描画データ前処理に要する処理時間を短縮することができる。また、生成するショット密度や描画パターン面積密度のマップの数を減らすことができるためデータを記憶する記憶装置の容量も小さく押さえることができる。
【０１２０】
以上、具体例を参照しつつ実施の形態について説明した。しかし、本発明は、これらの具体例に限定されるものではない。
【０１２１】
また、装置構成や制御手法等、本発明の説明に直接必要しない部分等については記載を省略したが、必要とされる装置構成や制御手法を適宜選択して用いることができる。その他、本発明の要素を具備し、当業者が適宜設計変更しうる全ての荷電粒子ビーム描画装置および荷電粒子ビーム描画方法は、本発明の範囲に包含される。
【符号の説明】
【０１２２】
１００      電子ビーム描画装置
１０２      描画部
１０４      制御部
１０６      第１の描画データ記憶部
１０７      第２の描画データ記憶部
１１０      試料
１４０      ショットデータ生成部
１４１    図形分配部
１４２      図形変換部
１４３      ショット変換部
１４４      近接効果補正用パターン密度変換部
１４５      近接効果補正部
１５０      制御回路
１６０      描画データ前処理部
１６１      フォーマット検査部
１６２      ショット密度計算部
１６３      パターン面積密度計算部
【図１】
0005767033.tif 000002
【図２】
0005767033.tif 000003
【図３】
0005767033.tif 000004
【図４】
0005767033.tif 000005
【図５】
0005767033.tif 000006
【図６】
0005767033.tif 000007
【図７】
0005767033.tif 000008
【図８】
0005767033.tif 000009
【図９】
0005767033.tif 000010
【図１０】
0005767033.tif 000011
【図１１】
0005767033.tif 000012
【図１２】
0005767033.tif 000013
【図１３】
0005767033.tif 000014
【図１４】
0005767033.tif 000015
【図１５】
0005767033.tif 000016
【図１６】
0005767033.tif 000017